(57)【要約】【課題】  耐振動性と組み付け性を両立した反射鏡の回動機構を有するヘッドアップディスプレイ装置を提供する。【解決手段】  、本発明に係るヘッドアップディスプレイ装置Ｈは、表示器１が発した表示光Ｌを反射鏡２を介してスクリーンに投影し、表示光Ｌの虚像をスクリーン前方に表示するヘッドアップディスプレイ装置Ｈであって、反射鏡２の回転軸となる軸部２１に設けられた第１磁石２４と、第１磁石２４と非接触な状態で電動機２３の動力により回動する第２磁石２５と、を有し、電動機２３の動力により反射鏡２が回動する。【選択図】  図２
2017207543.tif 000002
【特許請求の範囲】
【請求項１】
表示器が発した表示光を反射鏡を介してスクリーンに投影し、前記表示光の虚像を前記スクリーン前方に表示するヘッドアップディスプレイ装置であって、
前記反射鏡の回転軸となる軸部に設けられた第１磁石と、
前記第１磁石と非接触な状態で電動機の動力により回動する第２磁石と、を有し、
前記電動機の動力により前記反射鏡が回動する、
ことを特徴とするヘッドアップディスプレイ装置。
【請求項２】
前記第１磁石が前記第２磁石に所定距離離間する位置より近くに移動するのを抑制するストッパを備えた、
ことを特徴とする請求項１に記載のヘッドアップディスプレイ装置。
【発明の詳細な説明】
【技術分野】
【０００１】
本発明は、反射鏡の回動機構を有するヘッドアップディスプレイ装置に関する。
【背景技術】
【０００２】
従来のヘッドアップディスプレイ装置として特許文献１に開示されたものがある。このヘッドアップディスプレイ装置は、複数の弾性体により耐振動性の高い反射鏡の回動機構となっている。
【先行技術文献】
【特許文献】
【０００３】
【特許文献１】特開２０１４−８５５３９号公報
【発明の概要】
【発明が解決しようとする課題】
【０００４】
しかしながら、部品点数が多く組み付け手順も複雑であり、組み付け性において改善の余地があった。
【０００５】
本発明は、上記実情に鑑みてなされたものであり、耐振動性と組み付け性を両立した反射鏡の回動機構を有するヘッドアップディスプレイ装置を提供することを目的とする。
【課題を解決するための手段】
【０００６】
本発明に係るヘッドアップディスプレイ装置は、
表示器が発した表示光を反射鏡を介してスクリーンに投影し、前記表示光の虚像を前記スクリーン前方に表示するヘッドアップディスプレイ装置であって、
前記反射鏡の回転軸となる軸部に設けられた第１磁石と、
前記第１磁石と非接触な状態で電動機の動力により回動する第２磁石と、を有し、
前記電動機の動力により前記反射鏡が回動する。
【０００７】
本発明に係るヘッドアップディスプレイ装置は、
前記第１磁石が前記第２磁石に所定距離離間する位置より近くに移動するのを抑制するストッパを備える、
ように構成することが好ましい。
【発明の効果】
【０００８】
本発明によれば、耐振動性と組み付け性を両立した反射鏡の回動機構を有するヘッドアップディスプレイ装置を提供できる。
【図面の簡単な説明】
【０００９】
【図１】本発明の実施形態であるヘッドアップディスプレイ装置の構成概略図。
【図２】同ヘッドアップディスプレイ装置の反射鏡の構成を示す図。
【図３】同反射鏡のＡ−Ａ断面図。
【発明を実施するための形態】
【００１０】
以下、添付図面に基づいて、本発明の実施形態であるヘッドアップディスプレイ装置Ｈを説明する。なお、各図面におけるＵｐ，Ｄｎ，Ｆｗ，Ｂｋ，Ｌｔ，Ｒｔは、ヘッドアップディスプレイ装置Ｈが搭載される車両の各方向を示し、Ｕｐは車両の上方、Ｄｎは車両の下方、Ｆｗは車両の前方（進行方向）、Ｂｋは後方、Ｌｔは車両の左方、Ｒｔは車両の右方を示す。
【００１１】
ヘッドアップディスプレイ装置は、図１に示すように、車両情報を表す表示光Ｌを発する表示器１と、表示光Ｌを反射する反射鏡２と、表示器１と反射鏡２とを収容する筐体３と、を備える。表示光Ｌは、表示器１から出射された後、反射鏡２に反射され、筐体３のアクリル樹脂製の透光性カバー３０から筐体３外に出射する。筐体３外に出射された表示光Ｌは、車両の風防ガラスやコンバイナなどの透光性スクリーンに投影され、透光性スクリーン前方に虚像が表示される。
【００１２】
表示器１は、例えば、画像を表示する液晶表示器である。表示器１は、図示しない制御手段に制御されて、車両情報を表す表示光Ｌを反射鏡２に向けて出射する。
【００１３】
反射鏡２は、基部２０と、この基部２０の回転軸となる一対の第１軸部２１，第２軸部２２と、基部２０を回転させる動力となる電動機２３と、電動機２３の動力を第１軸部２１に伝達する一対の第１磁石２４，第２磁石２５と、から主に構成される。
【００１４】
基部２０は、樹脂部材の表面に金属を蒸着させた凹面の反射面を形成した反射鏡２の本体である。
【００１５】
第１軸部２１，第２軸部２２は、基部２０の側面（左方Ｌｔ，右方Ｒｔ方向）から延びる樹脂製の円柱状の軸である。第１軸部２１，第２軸部２２には、それぞれ第１磁石２４に向く凸部が形成されたストッパ２１０，２２０が形成されている。
【００１６】
第１磁石２４と第２磁石２５とは、同一の外形・磁極数である一対の円環状の永久磁石である。第１磁石２４は第１軸部２１の先端に圧入固定され、第２磁石２５は電動機２３の回転軸の先端に圧入固定されている。
【００１７】
筐体３は、樹脂製の第１支持部３１，第２支持部３２，第３支持部３３と、金属製の第１板バネ３４，第２板バネ３５と、を有する。
【００１８】
第１支持部３１と第２支持部３２には、Ｖ字あるいはＵ字の軸受が形成されている。反射鏡２は、第１磁石２４とストッパ２１０との間に第１支持部３１が位置し、基部２０とストッパ２２０との間に第２支持部３２が位置するように、第１軸部２１が第１支持部３１に支持され、第２軸部２２が第２支持部３２に支持される。また、第１軸部２１が第１支持部３１に支持された状態で、第１支持部３１の軸受に第１軸部２１が押圧されるように板バネ３４が第１支持部３１に螺子固定される。同様に、第２軸部２２が第２支持部３２に支持された状態で、第２支持部３２の軸受けに第２軸部２２が押圧されるように板バネ３５が第２支持部３２に螺子固定される。
このように構成することで、第１軸部２１および第２軸部２２は、上下方向および前後方向のガタツキが抑制される。
【００１９】
第３支持部３３は、Ｖ字あるいはＵ字の長穴が形成されており、この長穴に第２磁石２５が固定された電動機２３の回転軸を貫通させた状態で電動機２３が螺子固定される。
【００２０】
このように構成することで、ストッパ２１０，２２０により第１磁石２４が第２磁石２５から所定距離離間する位置より近くに移動するのを抑制される。そのため、第１磁石２４と第２磁石２５とは互いに非接触な状態で向かいあって引き付け合うように配置され、磁気カップリング方式で電動機２３の回動に合わせて反射鏡２が回動する。また、第１磁石２４と第２磁石２５との互いに引き合う力により、ストッパ２１０，２２０が第１支持部３１，第２支持部３２を押圧するので、左右方向のガタツキが抑制される。
【００２１】
以上のように、本発明に係るヘッドアップディスプレイ装置Ｈは、表示器１が発した表示光Ｌを反射鏡２を介してスクリーンに投影し、表示光Ｌの虚像をスクリーン前方に表示するヘッドアップディスプレイ装置Ｈであって、反射鏡２の回転軸となる軸部２１に設けられた第１磁石２４と、第１磁石２４と非接触な状態で電動機２３の動力により回動する第２磁石２５と、を有し、電動機２３の動力により反射鏡２が回動する。
このヘッドアップディスプレイ装置Ｈは、第１磁石２４と第２磁石２５との互いに引き合う力を左右方向のガタツキの抑制に利用するため、左右方向のガタツキを抑制する部材を廃することができる。また、動力を伝達する第１磁石２４と第２磁石２５とが非接触であるため、組み付け時の作業性が良い。これにより、耐振動性と組み付け性を両立した反射鏡の回動機構を有するヘッドアップディスプレイ装置を提供できる。
【００２２】
本発明は、上述した実施形態（図面の内容を含む）によって限定されない。本発明の主旨に従う範囲で、上記の実施形態に変更を加えることができる。
【符号の説明】
【００２３】
Ｈ    ：ヘッドアップディスプレイ
１    ：表示器
２    ：反射鏡
２０  ：基部
２１  ：第１軸部
２１０：ストッパ
２２  ：第２軸部
２２０：ストッパ
２３  ：電動機
２４  ：第１磁石
２５  ：第２磁石
３    ：筐体
３０  ：透光性カバー
３１  ：第１支持部
３２  ：第２支持部
３３  ：第３支持部
３４  ：第１板バネ
３５  ：第２板バネ
【図１】
2017207543.tif 000003
【図２】
2017207543.tif 000004
【図３】
2017207543.tif 000005